(57)【要約】【課題】従来、競馬場では競馬を楽しむ観客の為に中央に大型映像表示装置を設置したり、内部には数多くのテレビモニタを設置したりして観客サービスを行っているが、競馬場内は大変混雑しており、次のレースに走る競走馬の情報を簡単に得ることが望まれている。これらのデータが予め検索できれば、競馬場に来て、実際の競馬を見ながら競馬をゲームとしてより楽しめ様になり、競馬ビジネスにより貢献できるものである。【解決手段】携帯電話などによる無線画像伝送技術と、眼鏡の様な感覚で簡単に掛けられ人間の眼と同じ感覚で３Ｄ映像がモニタできる眼鏡型ディスプレイを利用することにより、プライバシーを守りながら、いつでもどこでも競馬に関する欲しい情報を得ることが出来るようにしたシステムを提供するものである。【選択図】図１
2006060753.tif 000002
【特許請求の範囲】
【請求項１】
顔に眼鏡をかける感覚で使用する３次元立体映像をモニターできる眼鏡型ディプレイ、この眼鏡型ディスプレイに情報を出力する無線受信機能を持つ情報記憶装置、この情報記憶装置に情報を配信する中央情報配信装置から構成され、競馬場において競馬レースの始まる前に、眼鏡型ディスプレイを使用して競馬場内のパドックの映像など競争馬に関する情報を３次元映像でモニターでき、又レース中は眼鏡型ディスプレイを利用してレース場内に設置されたカメラによる映像を望遠鏡で見るのと同じ感覚でレースをモニターできることを特徴とするシステム。
【請求項２】
前記眼鏡型ディスプレイに情報を配信する装置を全て無線通信回線で接続し、これらの情報提供を中央から一元的に管理し、最新情報をリアルタイムで供給することのできる情報管理ネットワークシステムを持ち、個人個人が見たい情報を、眼鏡型ディスプレイを使用して何時でも何処でも個々に競馬レースに関する情報を提供できることを特徴とするビジネスモデル。
【発明の詳細な説明】
【技術分野】
【０００１】  本発明は競馬場で競馬レースを見る場合、競争馬のパドックの映像、又レースが始まった場合疾走する馬の映像を３次元映像カメラで撮影し、これ等の映像を携帯型の眼鏡型ディスプレイを使用して何時でもどこでもモニターできることを可能にすることに関するものである。
【背景技術】
【０００２】  従来、３次元映像を眼鏡型ディスプレイ又はヘッドマウントディスプレイと言われている装置でモニターすることは困難であった。超小型ディスプレイにより、３次元映像をモニターできる技術が開発され、無線通信技術と組合されて、携帯型ディスプレイにより、何時でも何処でも３次元映像がモニターできる技術が背景となっている。【０００３】  多くの競馬場では、大型映像モニターが設置されているが、これは同じ映像を同時に多くの競馬場に来られている方に提供するもので、映像カメラが多く設置されていても各人が見たい映像を選択して見ることはできない。携帯電話時代の到来で映像が携帯電話にディスプレイでモニターできる時代が到来しつつあるが、携帯電話についているディスプレイでは映像表示サイズが小さく不鮮明で、３次元映像は勿論、競争馬のきめの細かい状態などをモニターすることは困難である。【０００４】  インタネットが発達した今日、競馬場に設置された映像カメラの情報以外に、インタネットを利用して、いろいろな情報・コンテンツを検索することが可能になっている。競馬のレースの合間には相当の待ち時間があるが、この間、いろいろな情報を、外部の人から見られずプライバシーを守りながら眼鏡型ディスプレイを使用して検索できることが求められている。
【発明の開示】
【発明が解決しょうとしている課題】
【０００５】  本発明は競馬場における実情に鑑みてなされたものであって、眼鏡型ディスプレイは小型で簡単に眼鏡をかける感覚で使用できるため、何時でも何処でも使用でき、混雑した競馬場内で場所を移動することなく、競争馬の３次元映像、オッズ情報他いろいろな情報をモニターすることができる。
【課題を解決するための手段】
【０００６】  本発明は上記目的を達成するために、競馬を見る個人個人に、眼鏡をかけると同じ感覚で簡単にディスプレイを顔の眼の部分に装着し、手元に映像・情報を選択して切り替える小型携帯型コントロールボックスを持ち、この操作を行うことにより、眼鏡型ディスプレイで見たい情報を何時でも何処でもモニターすることができるものである。
【０００７】  眼鏡型ディスプレイに映像を配信するため、パドックでの競走馬の状況、又競走馬の疾走状況をモニターするための映像カメラを設置し、これ等の映像を中央の映像配信センターに送信、ここで眼鏡型ディスプレイに配信するための信号に変換、個々の眼鏡型ディスプレイでモニターできる手段を提供するものである。
【０００８】  中央の映像配信装置には、カメラで撮影される映像だけでなく、競走馬の過去のデータ、現在のデータなども同時に蓄積されており、本発明は眼鏡型ディスプレイでは映像以外に競走馬のいろいろなデータもモニターできる手段を提供するものである。
【発明の効果】
【０００９】  この発明は、携帯電話など無線による携帯機器が普及し、何時でも何処でも情報を得られる時代に、個人のプライバシーを守りつつ、３次元映像を中心とするいろいろな情報を容易に得ることができ、利用者にその便を提供すると共に、競馬をより効果的に楽しむことのできるシステムを提供できるものである。
【発明を実施するための最良の形態】
【００１０】  以下、本発明の実施の形態を図１、図２、図３に基づいて説明する。【００１１】  図１は本発明に係わるネットワーク全体システムを示すブロック図である。この実施例に係わるシステムは、各々の眼鏡型ディスプレイ２Ａ，２Ｂ、２Ｃ，２Ｎは中央のコンテンツ映像・データ画像配信装置６から無線通信信号５により映像及びデータ画像が配信され、この映像は場内に設置されたカメラ１Ａ，１Ｂ，１Ｃ，１Ｄ，１Ｅ，１Ｎから供給され、又データは中央のコンピュータ８から供給される。【００１２】  図２は図１の個人別眼鏡型ディスプレイのコンテンツを見る装置の機器構成図である。１１はその個人、１２は眼鏡型ディスプレイで、内部の光学装置により、選択送信されてくる映像・データ画像入力を拡大画面で見ることができるものである。１３はこの拡大された仮想画面を示す。１４は眼鏡型ディスプレイ１２に画像を送信する場合、その輝度、音声ボリュームなど調整しながら、眼鏡型ディスプレイで見たいコンテンツを選択する制御装置である。
【産業上の利用の可能性】
【００１３】  携帯電話の普及により、いつでもどこでも情報が得られる時代が到来した。この様な時代背景の中で、競馬を更に新しい情報化社会に対応させることを可能にする為、このシステムの利用により、競馬をより多くの人に楽しんでもらうことが期待される。
【図面の簡単な説明】
【００１４】
【図１】  本発明に係わる眼鏡型ディスプレイを利用する全体システムの実施形態を示すブロック構成図の例を示す。
【図２】  本発明に係わる各個人が用いる眼鏡型ディスプレイの構成図の例を示す。
【図３】  本発明に係わる眼鏡型ディスプレイの３次元映像を出力するシステム構成の例を示す。
【符号の説明】
【００１５】１Ａ，１Ｂ，１Ｃ，１Ｄ、１Ｅ、１Ｎ：競馬場内の疾走する馬を撮影するビデオカメラ
２Ａ，２Ｂ，２Ｄ，２Ｎ：競馬場で競馬を見る観客が使用する眼鏡型ディスプレイ
３Ａ，３Ｂ：競馬場内のパドックで疾走前の競走馬の状態を撮影するビデオカメラ
４Ａ，競馬場の馬の走るトラック
４Ｂ．競馬に出る馬の疾走前の状態を予め見せる場所であるパドック
５．眼鏡型ディスプレイに映像信号を伝送する無線信号
６．眼鏡型ディスプレイに映像信号を発信する無線信号発信装置
７．１Ａ，１Ｂ，１Ｃ、１Ｅ，１Ｎのビデオカメラからの映像を受信して記憶し、無線信号発信装置６に出力する装置
８．疾走する競争馬のいろいろなデータを蓄積しているコンピュータ
１１．眼鏡型ディスプレイを利用する人
１２．眼鏡型ディスプレイ
１３．眼鏡型ディスプレイにより拡大されたコンテンツを表示する仮想画面
１４．眼鏡型ディスプレイに無線信号発信装置６から映像信号を受信する装置
１５．上記映像信号受信装置１４内部で映像信号を３次元映像に変換する為、映像信号を奇数・偶数フレームに分離する装置
１６．上記映像信号受信装置１５からの信号を左眼用のディスプレイに映像を出力する映像信号処理装置
１７．上記映像信号受信装置１５からの信号を右眼用のディスプレイに映像を出力する映像信号処理装置
１８．左眼用の電子ディスプレイ
１９．右眼用の電子ディスプレイ、左眼用の電子ディスプレイと隣接してこれを利用する人の眼幅の位置に配置されている
２０．左眼用の電子ディスプレイの前に置かれ画像を光学装置で拡大する装置
２１．右眼用の電子ディスプレイの前に置かれ画像を光学装置で拡大する装置
【図１】
2006060753.tif 000003
【図２】
2006060753.tif 000004
【図３】
2006060753.tif 000005